(57)【要約】【課題】  弾性接点を有する接点ボードを保護して収納でき、ソケット構造の装置本体と接点ボードとを位置決めして、接点ボードを装置本体に組み付けることができる収納容器を提供する。【解決手段】  収納容器７０の収納領域７１に、第１の位置決め部７６と第２の位置決め部７３が形成されている。ボード組立体２０を構成する接点ボード２１は、その角部が第１の位置決め部７６に嵌合して位置決めされる。ソケット構造の装置本体１０が、収納領域７１の第２の位置決め部７３に位置決めされると、ソケット本体２の底部に設けられている凸部６が、接点ボード２１の穴に圧入される。ボード組立体２０が装置本体１０の底部に位置決めされて保持されるので、そのまま装置本体１０を収納領域７１から離してマザーボードに取り付けることができる。【選択図】図８
2011014377.tif 000002
【特許請求の範囲】
【請求項１】
表面に複数の弾性接点を有する接点ボードを収納する収納容器において、
容器本体に、前記接点ボードを位置決めする第１の位置決め部と、装置本体を位置決めする第２の位置決め部とが設けられており、
前記第２の位置決め部で前記装置本体を位置決めしたときに、前記第１の位置決め部に位置決めされた前記接点ボードが前記装置本体の底部に保持可能とされることを特徴とする接点ボード用の収納容器。
【請求項２】
前記第２の位置決め部が前記第１の位置決め部よりも上側で且つ外側に設けられている請求項１記載の接点ボード用の収納容器。
【請求項３】
前記第１の位置決め部で、前記接点ボードの前記弾性接点が設けられていない角部が支持される請求項１または２記載の接点ボード用の収納容器。
【請求項４】
前記容器本体の底部に、その下に設置される収納容器に収納されている前記接点ボードをその収納容器の前記第１の位置決め部に向けて押圧する押圧部が設けられている請求項１ないし３のいずれかに記載の接点ボード用の収納容器。
【請求項５】
前記接点ボードには、その上方に位置して前記接点ボードに接近し離反する方向へ移動可能であり且つ接点ボードから離れる向きに付勢された保護部材が支持されており、前記押圧部によって、前記保護部材が前記接点ボードに当たらない位置で下向きに押圧される請求項４記載の接点ボード用の収納容器。
【請求項６】
前記装置本体の底部に凸部が設けられ、前記接点ボードに前記凸部と嵌合する穴が形成されており、前記装置本体が前記第２の位置決め部で位置決めされたときに、前記凸部が前記第１の位置決め部に位置決めされている前記接点ボードの前記穴に嵌合し、前記容器本体に、前記凸部が当たらないように逃げ凹部が形成されている請求項１ないし５のいずれかに記載の接点ボード用の収納容器。
【請求項７】
前記装置本体に前記接点ボードを挟持する挟持部材が動作自在に設けられており、前記装置本体が前記第２の位置決め部で位置決めされたときに、前記第１の位置決め部に位置決めされている前記接点ボードが前記挟持部材で挟持可能であり、前記容器本体に、前記挟持部材が当たらないように逃げ凹部が形成されている請求項１ないし５のいずれかに記載の接点ボード用の収納容器。
【請求項８】
表面に複数の弾性接点を有する接点ボードを、装置本体の底部に取り付けて接続装置を組み立てる方法において、
第１の位置決め部と第２の位置決め部を有し、前記第１の位置決め部に前記接点ボードが位置決めされて収納されている容器本体を使用し、前記装置本体を前記第２の位置決め部に位置決めし、位置決めと同時に前記装置本体の底部に前記接点ボードを取り付けることを特徴とする接続装置の組み立て方法。
【請求項９】
前記装置本体の底部に凸部が設けられ、前記接点ボードに前記凸部と嵌合する穴が形成されており、前記装置本体を前記第２の位置決め部に位置決めするときに、前記凸部を前記第１の位置決め部に位置決めされている前記接点ボードの前記穴に嵌合させる請求項８記載の接続装置の組み立て方法。
【請求項１０】
前記装置本体に前記接点ボードを挟持する挟持部材が動作自在に設けられており、前記装置本体を前記第２の位置決め部に位置決めしたときに、前記第１の位置決め部で位置決めされている前記接点ボードを前記挟持部材で挟持可能である請求項８記載の接続装置の組み立て方法。
【発明の詳細な説明】
【技術分野】
【０００１】
本発明は、複数の弾性接点を有する接点ボードを保持する収納容器、およびこの収納容器に収納されている接点ボードを、収納容器の位置決め部を利用して装置本体に取り付ける接続装置の組み立て方法に関する。
【背景技術】
【０００２】
以下の特許文献１と特許文献２には、底部に複数の突状の電極を有するＩＣパッケージを一時的に保持して検査などを行うための検査装置が開示されている。
【０００３】
この検査装置は、ＩＣパッケージが装着されるソケット構造の装置本体の底部に接点ボードが支持されており、この接点ボードの表面に複数のスパイラル状の弾性接点が配列して設けられている。前記接点ボードの表面が保護シートで覆われており、この保護シートに、ＩＣパッケージに設けられたそれぞれの電極を弾性接点に接触させるための複数の貫通穴が形成されている。
【０００４】
ＩＣパッケージが装着されていないときは、保護シートが接点ボードの表面から離れた位置にあり、保護シートによって異物が弾性接点に接触しにくいように保護されている。装置本体にＩＣパッケージが装着され、ＩＣパッケージが押圧部材で接点ボードに向けて押されると、ＩＣパッケージによって保護シートが接点ボードに押し付けられ、保護シートに形成された貫通穴を介して、電極が弾性接点に接続される。
【０００５】
前記接点ボードは、ソケット構造の装置本体の底部に着脱自在に取り付けられるものであり、ＩＣパッケージに対する検査を一定期間行った後に、接点ボードを交換することが可能である。そのため、接点ボードは、装置本体とは別に運搬され、保管される。
【０００６】
従来、電子部品を収納する収納容器は、特許文献３または特許文献４に記載されているように、複数の凹部が並んで形成されたトレイ形状のものが一般的である。
【先行技術文献】
【特許文献】
【０００７】
【特許文献１】特開２００５−１３４３７３号公報
【特許文献２】特開２００７−３２９１３３号公報
【特許文献３】特開２００８−１２７０６２号公報
【特許文献４】特開２００９−４０４６６号公報
【発明の概要】
【発明が解決しようとする課題】
【０００８】
前記接点ボードは、弾性接点を有する表面が保護シートで覆われているため、接点ボードと保護シートとが組合されたボード組立体が、トレイ状の収納容器の前記凹部に収納されているときは、接点ボードに設けられた微細な弾性接点を保護シートによって一応保護することが可能である。
【０００９】
しかし、ボード組立体を収納容器から取り出してソケット状の装置本体に取り付けるときには、誤って保護シートを押してしまったり、あるいは露出した弾性接点が物に接触するなどして、変形するおそれがある。また、小型のボード組立体を容器本体から取り出して装置本体に取り付ける作業も煩雑である。
【００１０】
本発明は上記従来の課題を解決するものであり、接点ボードを収納できるとともに、装置本体と接点ボードを互いに位置決めして組み立てることができる接点ボード用の収納容器を提供することを目的としている。
【００１１】
また本発明は、前記収納容器を使用して、接点ボードと装置本体とを互いに位置決めして容易に組み付けることができる接続装置の組み立て方法を提供することを目的としている。
【課題を解決するための手段】
【００１２】
本発明は、表面に複数の弾性接点を有する接点ボードを収納する収納容器において、
容器本体に、前記接点ボードを位置決めする第１の位置決め部と、装置本体を位置決めする第２の位置決め部とが設けられており、
前記第２の位置決め部で前記装置本体を位置決めしたときに、前記第１の位置決め部に位置決めされた前記接点ボードが前記装置本体の底部に保持可能とされることを特徴とするものである。
【００１３】
本発明の接点ボード用の収納容器は、複数の弾性接点を有する接点ボードを収納し、保管や運搬時に弾性接点の変形などを防止しやすくなる。また装置本体を位置決めして、接点ボードを装置本体に容易に組み込むことができる。
【００１４】
本発明は、前記第２の位置決め部が前記第１の位置決め部よりも上側で且つ外側に設けられているものである。
【００１５】
また、本発明は、前記第１の位置決め部で、前記接点ボードの前記弾性接点が設けられていない角部が支持されることが好ましい。
【００１６】
接点ボードの弾性接点が設けられていない部分が第１の位置決め部で支持されることで、収納容器に接点ボードを収納するときに、弾性接点が傷つくのを防止しやすい。
【００１７】
また、本発明は、前記容器本体の底部に、その下に設置される収納容器に収納されている前記接点ボードをその収納容器の前記第１の位置決め部に向けて押圧する押圧部が設けられているものである。
【００１８】
接点ボードが収納容器に収納されたときに、その上に位置する収納領域で接点ボードが押されることで、収納容器内で、接点ボードが不用意に動くのを防止できるようになる。
【００１９】
この場合に、前記接点ボードには、その上方に位置して前記接点ボードに接近し離反する方向へ移動可能であり且つ接点ボードから離れる向きに付勢された保護部材が支持されており、前記押圧部によって、前記保護部材が前記接点ボードに当たらない位置で下向きに押圧されることが好ましい。
【００２０】
収納容器の底部に設けられた押圧部で、保護部材が弾性接点を保護できる位置まで押されることで、接点ボードに設けられた弾性接点を変形などさせることなく、収納容器に接点ボードを動かないように保持させることができる。なお、本発明では、接点ボードの弾性接点が設けられていない部分が、前記押圧部によって直接に押圧されてもよい。
【００２１】
本発明は、前記装置本体の底部に凸部が設けられ、前記接点ボードに前記凸部と嵌合する穴が形成されており、前記装置本体が前記第２の位置決め部で位置決めされたときに、前記凸部が前記第１の位置決め部に位置決めされている前記接点ボードの前記穴に嵌合し、前記容器本体に、前記凸部が当たらないように逃げ凹部が形成されているものである。
【００２２】
あるいは本発明は、前記装置本体に前記接点ボードを挟持する挟持部材が動作自在に設けられており、前記装置本体が前記第２の位置決め部で位置決めされたときに、前記第１の位置決め部に位置決めされている前記接点ボードが前記挟持部材で挟持可能であり、前記容器本体に、前記挟持部材が当たらないように逃げ凹部が形成されているものである。
【００２３】
本発明は、表面に複数の弾性接点を有する接点ボードを、装置本体の底部に取り付けて接続装置を組み立てる方法において、
第１の位置決め部と第２の位置決め部を有し、前記第１の位置決め部に前記接点ボードが位置決めされて収納されている容器本体を使用し、前記装置本体を前記第２の位置決め部に位置決めし、位置決めと同時に前記装置本体の底部に前記接点ボードを取り付けることを特徴とするものである。
【００２４】
本発明の接続装置に組み立て方法は、前記装置本体の底部に凸部が設けられ、前記接点ボードに前記凸部と嵌合する穴が形成されており、前記装置本体を前記第２の位置決め部に位置決めするときに、前記凸部を前記第１の位置決め部に位置決めされている前記接点ボードの前記穴に嵌合させるものである。
【００２５】
あるいは、前記装置本体に前記接点ボードを挟持する挟持部材が動作自在に設けられており、前記装置本体を前記第２の位置決め部に位置決めしたときに、前記第１の位置決め部で位置決めされている前記接点ボードを前記挟持部材で挟持可能である。
【発明の効果】
【００２６】
本発明の接点ボード用の収納容器は、接点ボードを収納し、または接点ボードと保護部材とが組み立てられたボード組立体を収納して、保管や運搬時に、接点ボードに設けられた弾性接点を保護することができる。また、ソケット構造などの装置本体を収納容器で位置決めして、接点ボードと装置本体とを組み立てることができる。
【００２７】
また、本発明の接続装置の組み立て方法は、収納容器に保管されている接点ボードに、装置本体を設置するだけで、接点ボードと装置本体を互いに位置決めして組み立てることが可能になる。
【図面の簡単な説明】
【００２８】
【図１】ソケット構造の装置本体および、接点ボードと保護部材とを有するボード組立体を示す斜視図、
【図２】図１に示すソケット構造の装置本体を斜め下から見た斜視図、
【図３】接点ボード用の収納容器の一部を示す平面図、
【図４】図３に示す収納容器をＩＶ−ＩＶ線で切断した断面図、
【図５】図３に示す収納容器をＶ−Ｖ線で切断した断面図、
【図６】図３に示す収納容器をＶＩ−ＶＩ線で切断した断面図、
【図７】接点ボードを収納した収納容器が複数個重ねられた状態を示す断面図、
【図８】収納容器に接点ボードと装置本体が位置決めされた状態を示す断面図、
【図９】接点ボードと装置本体が組み立てられてマザーボードに取り付けられる状態を示す部分断面図、
【図１０】弾性接点の詳細を示す拡大断面図、
【図１１】本発明の第２の実施の形態の収納容器および接点ボードと装置本体を示す斜視図
【発明を実施するための形態】
【００２９】
図１に示す接続装置１は、電子部品であるＩＣパッケージ５０が装着されて、ＩＣパッケージ５０の耐環境試験や信頼性試験または電気的試験などを行うものである。図９に示すように、ＩＣパッケージ５０は、所定の厚さ寸法で四角形状に形成されたパッケージ本体５１を有しており、このパッケージ本体５１の内部にＩＣベアチップなどが封入されている。パッケージ本体５１は、４つの側部（側面）５２を有しており、それぞれの側部５２は、４箇所の角部５３で交叉している。
【００３０】
パッケージ本体５１の底部（底面）５４には、複数の突状の電極５５が設けられており、それぞれの電極がＩＣベアチップ内の回路に接続されている。図１０に示すように、それぞれの電極５５は球状端子であり、パッケージ本体５１の底部５４において、第１の方向であるＸ方向と、前記第１の方向と直交する第２の方向であるＹ方向へ一定のピッチで配列している。
【００３１】
図１に示すように、接続装置１は、ソケット構造の装置本体１０の底部にボード組立体２０が組み付けられて構成されている。ボード組立体２０は、接点ボード２１と、接点ボード２１の上側に対向する上側保護部材３１と、接点ボード２１の下側に対向する下側保護部材４１とを有している。
【００３２】
図１と図２に示すように、装置本体１０は、ＩＣパッケージ５０を保持するソケット本体２と、このソケット本体２に対して上下方向（Ｚ方向）へ摺動自在に支持された可動枠３とを有している。可動枠３は、バネ部材によって、ソケット本体２から離れるように上方へ向けて付勢されている。図１と図２は、可動枠３が、バネ部材の弾性力に対抗して、強制的に下降させられた状態を示している。図１と図２に示す状態から、可動枠３を下降させている強制力を解除すると、バネ部材の付勢力によって、可動枠３がソケット本体２を摺動して上方へ移動する。
【００３３】
図２および図８と図９に示すように、ソケット本体２の底面２ａは平面形状であり、その中央部の四角形状の領域に、上方に向けて窪むボード収納凹部４が形成されている。ボード収納凹部４の内底面４ａは前記底面２ａと平行な平面である。ボード収納凹部４の内部には、前記内底面４ａから下向きに規制突起５が一体に形成されている。規制突起５は、四角形状のボード収納凹部４の４つ角部の内側に設けられており、それぞれの規制突起５の底面である規制面５ａは、底面２ａと平行な平面上に位置している。３個の規制突起５には、規制面５ａからさらに下向きに突出する円柱状の凸部６が一体に形成されている。
【００３４】
図２および図８と図９に示すように、ボード収納凹部４の内底面４ａの中央部には、ソケット本体２を上下に貫通する貫通部４ｂが形成されている。貫通部４ｂの４つの角部には、それぞれ当接部７が一体に形成されている。当接部７は、内底面４ａよりも下側に突出しており、図８と図９に示すように、当接部７の下端面７ｂは、規制突起５の底面である規制面５ａと同一平面上に位置している。
【００３５】
４箇所に設けられたそれぞれの当接部７の内側には、位置決め当接面７ａが形成されている。それぞれの当接部７に形成された当接面７ａは、直交して上下方向（Ｚ方向）に延びる平面である。当接面７ａは、当接部７の内側から内底面４ａよりも上方の領域まで連続して形成されている。４箇所の当接部７の当接面７ａによって、ＩＣパッケージ５０の側部５２の形状に対応するパッケージ位置決め部が形成されている。図２および図８と図９に示すように、ソケット本体２の内部には、それぞれの当接面７ａと連続し、上方に向けてＸ方向とＹ方向に徐々に広がる案内テーパ面７ｃが一体に形成されている。
【００３６】
図９に示すように、ＩＣパッケージ５０がソケット本体２に対して上方から挿入されると、パッケージ本体５１の角部５３で交叉する側部５２が、前記案内テーパ面７ｃによって案内されて、角部５３で交叉する側部５２が、４箇所の当接部７の当接面７ａに導かれてＸ−Ｙ方向に位置決めされる。
【００３７】
図１に示すように、ソケット本体２の内部には、一対の押圧アーム１１がＸ方向に間隔を空けて配置されている。押圧アーム１１は、その下端部が支持軸１２によってソケット本体２に回動自在に支持されている。それぞれの押圧アーム１１の上端に固定された連結軸１６に、押圧部材１５の上端部が回動自在に連結されている。
【００３８】
図１と図２に示すように、可動枠３が押し下げられているときは、押圧アーム１１がＸ方向へ互いに離れる向きに回動させられて、一対の押圧部材１５の下端の押圧部が、４箇所の当接面７ａで囲まれたパッケージ位置決め部からＸ方向の外側に離れた押圧解除位置に移動させられている。図９に示すように、ＩＣパッケージ５０がソケット本体２のパッケージ位置決め部に装着された後に、可動枠３を下向きに押している強制力を解除すると、可動枠３がバネ部材の付勢力で上昇し、このときの弾性力で、押圧アーム１１がＸ方向へ互いに接近する向きに回動させられ、それぞれの押圧部材１５の下端の押圧力によって、ＩＣパッケージ５１が下向きに押圧される。
【００３９】
装置本体１０の下部に取り付けられるボード組立体２０は接点ボード２１を有している。接点ボード２１には、基板２２が設けられており、この基板２２は比較的剛性が高い硬質基板である。図１に示すように、基板２２の３つの角部の内側に装着穴２２ａが開口している。図８と図９に示すように、それぞれの装着穴２２ａは、ソケット本体２の底面の３箇所から突出している凸部６に挿通されている。装着穴２２ａは凸部６の外周面にほとんど隙間無く挿通されて、３個の凸部６により、接点ボード２１がＸ方向とＹ方向に位置決めされるとともに、装着穴２２ａに凸部６が圧入状態となり、接点ボード２１がソケット本体２から容易に外れることなく保持される。
【００４０】
図８と図９に示すように、接点ボード２１の基板２２の上面には、複数の上側弾性接点２３が設けられており、下面には複数の下側弾性接点２４が設けられている。図１に示すように、上側弾性接点２３は、基板２２の上面において、所定面積の四角の領域内でＸ方向とＹ方向に一定のピッチで配列しており、その配列ピッチは、図９に示すＩＣパッケージ５０の底部５４に設けられた複数の球状の電極５５の配列ピッチと一致している。
【００４１】
図１０には、基板２２と上側弾性接点２３の詳細が示されている。上側弾性接点２３は、導電性の弾性材料によって、外側に位置する基端２３ａから内側に位置する先端２３ｂに向けて螺旋状に形成されている。また、上側弾性接点２３は、先端２３ｂが基板２２から離れる向きに立体形状に形成されている。それぞれの上側弾性接点２３の基端２３ａは、合成樹脂フィルムで形成された絶縁性の支持シート２５に支持されている。支持シート２５が、基板２２の上面に設置されて、上側弾性接点２３の基端２３ａが、接続層２６を介して、基板２２の表面に設けられた上側導電層２７に導通されて接続されている。接続層２６は、導電性接着剤層または半田層である。
【００４２】
基板２２には上下に貫通するスルーホール２２ｂが形成され、スルーホール２２ｂの内周面に接続導電層２８が形成されている。この接続導電層２８によって、基板２２の上面に設けられた上側導電層２７と、基板２２の下面に設けられた下側導電層とが導通されている。基板２２の下面に設けられている下側弾性接点２４は、上側弾性接点２３と同じ構造で、上側弾性接点２３と上下に対称な向きに配置されている。下側弾性接点は、上側弾性接点２３と同様に支持シート２５に支持されて、前記下側導電層に接続されている。
【００４３】
接点ボード２１の上側に配置された上側保護部材３１は、薄い金属板でプレス成形されている。上側保護部材３１は、所定の形状に打ち抜かれた後にその表面に絶縁性のコーティングが施されており、少なくとも表面が絶縁性である。また、上側保護部材３１は、薄い金属板をエッチングすることで形成されてもよいし、またはめっき工程で所定の厚さに形成されてもよい。
【００４４】
図１に示すように、上側保護部材３１の３箇所に取付け穴３２が形成されており、図７と図８に示すように、前記取付け穴３２に、摺動ピン３３が下向きに固定されている。前記接点ボード２１の基板２２と、下側保護部材４１は、前記摺動ピン３３に摺動自在に支持されている。図７に示すように、摺動ピン３３の下端に下側保護部材４１を抜け止めする頭部３３ａが一体に形成されている。接点ボード２１と下側保護基板４１が摺動ピン３３と摺動することにより、上側保護部材３１と接点ボード２１とが接近し離反する方向へ摺動自在であるとともに、上側保護部材３１が接点ボード２１に対してＸ方向とＹ方向へ位置ずれしないように位置決めされている。また下側保護部材４１と接点ボード２１も接近し離反する方向へ摺動自在である。
【００４５】
図１に示すように、上側保護部材３１にはその４辺に沿って付勢長穴３４が形成されている。付勢長穴３４は６箇所に形成されている。接点ボード２１には、その４辺の内側に付勢部材として上向きに延びる板ばね２９ａが設けられている。板ばね２９ａは６箇所に設けられており、それぞれの板ばね２９ａの先部が付勢長穴３４に摺動自在に挿入されている。６箇所に設けられた板ばね２９ａによって、上側保護部材３１が接点ボード２１に対して常に上向きに付勢されている。
【００４６】
３箇所に設けられた前記摺動ピン３３および６箇所に設けられた板ばね２９ａによって、上側保護部材３１は、接点ボード２１と水平な位置関係を保ちながら、接点ボード２１に接近し離反する向きに移動可能であり、また接点ボード２１から離れる向きに付勢されている。
【００４７】
図１に示すように、上側保護部材３１には、３箇所の角部を切り欠いた逃げ凹部３５が形成されている。図９に示すように、ボード組立体２０が装置本体１０の下部に装着されたときに、ソケット本体２に設けられた規制突起５が逃げ凹部３５の内部に位置し、規制突起５および凸部６が上側保護部材３１と当たらないようになっている。
【００４８】
図１に示すように、上側保護部材３１には、Ｘ方向とＹ方向に間隔を空けた４箇所に、表裏に貫通する開口部３６が形成されている。図９に示すように、ボード組立体２０が装置本体１０の底部に取り付けられたときに、ソケット本体２の内底面４ａから下向きに突出している当接部７が、前記開口部３６の内部に位置する。よって、ソケット本体２の貫通部４ｂに装着されるＩＣパッケージ５０は、当接部７に形成された当接面７ａによって位置決めされながら、接点ボード２１に導通できる位置まで、下向きに案内される。
【００４９】
図１と図１０に示すように、上側保護部材３１には表裏を貫通する多数の貫通穴３７が設けられている。貫通穴３７は、接点ボード２１の上面に設けられた多数の上側弾性接点２３と同じピッチで、Ｘ方向とＹ方向へ等ピッチで配列している。接点ボード２１では、ＩＣパッケージ５０に設けられた全ての電極５５に対向できるように、上側弾性接点２３が広い領域にわたって設けられている。また、上側保護部材３１に設けられた貫通穴３７も、全ての上側弾性接点２３に対向できる領域に配置されている。
【００５０】
図１０に示すように、個々の貫通穴３７は円形であり、ＩＣパッケージ５０の電極５５と上側弾性接点２３とが接触しているときに、電極５５と上側弾性接点２３のいずれにも当接しないように十分に大きい直径寸法で形成されている。前述のように、上側保護部材３１は金属板で形成されているが、その上下の両表面と貫通穴３７の内周面が絶縁コートで覆われており、電極５５または上側弾性接点２３が上側保護部材３１に当たっても、電気的に短絡状態となることはない。
【００５１】
図１に示すように、上側保護部材３１には４箇所に位置決め領域３８が設けられている。位置決め領域３８は、Ｘ方向とＹ方向のそれぞれの方向に間隔を空けて配置されている。
【００５２】
図１０に示すように、位置決め領域３８では、金属製の上側保護部材３１の上側と下側に樹脂層４５が形成され、上側と下側の樹脂層４５は、貫通穴３７の内部を通じて連続している。樹脂層４５に表側から窪む複数の位置決め凹部４６が形成される。位置決め凹部４６は、貫通穴３７と重なる位置に形成されている。位置決め凹部４６はテーパ面であり、その対向間隔が、上側保護部材３１から離れるにしたがって広がっている。位置決め凹部４６の底部に導通穴４７が貫通して形成されている。図１０に示すように、導通穴４７は、貫通穴３７よりも小さい直径の円形の穴である。また、導通穴４７の内径は、球状の電極５５の直径よりも小さい。
【００５３】
図１０に示すように、ＩＣパッケージ５０が上側保護部材３１に押し付けられると、球状の電極５５が、位置決め凹部４６のテーパ面に当たって、上側保護部材３１に対してＩＣパッケージ５０が位置決めされる。あるいは、球状の電極５５が、導通穴４７の外周縁の縁部に当たって位置決めされる。互いに位置決めされたＩＣパッケージ５０と上側保護部材３１が接点ボード２１に向けて下降させられると、上側弾性接点２３の上部が導通穴４７の内部に入り込み、位置決め凹部４６または導通穴４７で位置決めされた球状の電極５５と上側弾性接点２３とが接触する。また位置決め領域３８以外では、貫通穴３７が設けられ部分で、電極５５と上側弾性接点２３とが接触する。
【００５４】
接点ボード２１の下側に設けられた下側保護部材４１は、上側保護部材３１の開口部３６と位置決め領域３８を無くしたものと同じ構造である。図８に示すように、下側保護部材４１は、摺動ピン３３に挿通されているとともに、接点ボード２１の下面に設けられた６個の板ばねによって下向きに付勢されている。
【００５５】
図９には、複数の接続装置１が取り付けられるマザーボード６０が示されている。それぞれの接続装置１が取り付けられる領域では、マザーボード６０の上面に、多数の外部接続端子６１が設けられている。外部接続端子６１は、接点ボード２１の下面に設けられた下側弾性接点２４と同じピッチで形成されている。マザーボード６０の外部接続端子６１は、ＩＣパッケージ５０へ電源を供給する電源回路や、所定の動作信号を与える信号生成部、さらにはＩＣパッケージ５０の内部回路を検査する検査回路などに通じている。
【００５６】
マザーボード６０には、ソケット本体２の底面から突出する凸部６が差し込まれる嵌合穴６２が形成されている。嵌合穴６２は、１つの接続装置１に対して３箇所に形成されている。装置本体１０の底部にボード組立体２０が装着された状態で、ソケット本体２の底部に設けられた凸部６が嵌合穴６２に嵌合して位置決めされ、さらにソケット本体２がマザーボード６０にねじ止めされて固定される。
【００５７】
図３ないし図６には、接点ボード用の収納容器７０が空の状態で示されている。１つの収納容器７０が複数の凹状の収納領域７１を有している。収納容器７０は、合成樹脂製のシートを金型に吸引し密着させて変形させるいわゆる真空成形されたものであり、金型の凹形状に対応して、複数の収納領域７１が凹形状に形成されている。図３ないし図６に示すように、ひとつの収納領域７１の大きさは、Ｘ方向がＷｘでＹ方向でＷｙであり、収納容器７０は、Ｗｘ×Ｗｙの大きさの収納領域７１が、Ｘ方向とＹ方向に間隔を空けて配列している。
【００５８】
図３ないし図５に示すように、Ｘ方向に隣り合う収納領域７１の間は、上部平坦面７２であり、ぞれぞれの収納領域７１は、上部平坦面７２よりも下側へ窪んで形成されている。
【００５９】
図３に示すように、それぞれの収納領域７１には、４つの角部の内側に第２の位置決め部７３が形成されている。図８に示すように、装置本体１０の底部すなわちソケット本体２の底部は、第２の位置決め部７３によって位置決めされる。
【００６０】
図４ないし図６に示すように、それぞれの第２の位置決め部７３には、位置決め底面７３ａが形成されている。位置決め底面７３ａは、前記上部平坦面７２より一段低く形成されている。位置決め底面７３ａと上部平坦面７２との境界の段差部には、Ｙ方向に延びる位置決め側面７４ａと、Ｘ方向に延びる位置決め側面７４ｂが形成されている。図４ないし図６に示すように、位置決め側面７４ａと位置決め側面７４ｂは、上方に向かうにしたがって、対向間隔が徐々に広がるテーパ面である。第２の位置決め部７３では、位置決め側面７４ａと位置決め側面７４ｂとの境界部が位置決めコーナ７５ａ，７５ｂとなっている。位置決めコーナ７５ａと位置決めコーナ７５ｂは形状が相違している。位置決めコーナ７５ａは１箇所に形成されており、他の位置決めコーナ７５ｂが３箇所に形成されている。
【００６１】
図２に示すように、ソケット本体２の底部の１箇所の角部２ｂの形状は、他の３箇所の角部２ｃの形状と相違している。装置本体１０を収納領域７１に設置するときに、ソケット本体２の角部２ｂが位置決めコーナ７５ａに向く姿勢のときにのみ、ソケット本体２を第２の位置決め部７３に設置することができる。
【００６２】
第２の位置決め部７３の内側に、第１の位置決め部７６が形成されている。第１の位置決め部７６は、３箇所に形成されている。図４ないし図７に示すように、第１の位置決め部７６は位置決め底面７６ａを有している。この位置決め底面７６ａは、第２の位置決め部７３の位置決め底面７３ａよりも一段低い位置に有り、位置決め面７６ａと位置決め面７３ａは平行である。第１の位置決め部７６の位置決め底面７６ａと第２の位置決め部７３の位置決め底面７３ａとの間の段差部には、Ｙ方向に延びる位置決め側面７７ａとＸ方向に延びる位置決め側面７７ｂが形成されている。
【００６３】
ボード組立体２０が収納領域７１に設置されるときに、接点ボード２１の３つの角部が、第１の位置決め部７６の位置決め底面７６ａの上に設置され、接点ボード２１の角部の側面が、位置決め側面７７ａと位置決め側面７７ｂに当接して位置決めされる。接点ボード２１は、上側弾性接点２３と下側弾性接点２４が形成されていない角部が位置決め底面７６ａに設置され、上側弾性接点２３と下側弾性接点２４が収納容器７０の内面に当たることがない。図７と図８に示すように、ボード組立体２０の下側保護部材４１は、第１の位置決め部７６の位置決め底面７６ａと当たることはなく、上側保護部材３１も、第１の位置決め部７６の位置決め底面７６ａの上に重ならない。
【００６４】
装置本体１０は、ソケット本体２の角部２ｂが、位置決めコーナ７５ａに一致する向きでのみ、第２の位置決め部７３に設置されるが、それぞれのボード組立体２０は、位置決めされるソケット本体２の向きに合わせて、予め決められた向きで第１の位置決め部７６に収納されている。なお、３箇所の第１の位置決め部７６のいずれかのコーナ部の形状と、接点ボード２１の角部のいずれかの形状を合わせることで、接点ボード２１が所定の向きとなったときにのみ、第１の位置決め部７６で保持される構造にしてもよい。
【００６５】
収納領域７１には、３箇所に設けられた第１の位置決め部７６で囲まれた部分に中央凹部７８が形成されている。図４ないし図６に示すように、中央凹部７８は、その底部が、第１の位置決め部７６よりも低い位置で、収納容器７０の厚さ寸法の中腹に位置する深さに形成されている。中央凹部７８の底部には、上向きに隆起する支持台部７９が３箇所に形成されている。図７に示すように、第１の位置決め部７６によって接点ボード２１の角部が支持されているときに、その下に位置する下側保護部材４１は支持台部７９で下側から支えられる。
【００６６】
前記支持台部７９が形成されていない部分では、中央凹部７８の底部の下面が押圧部７８ａとなっている。図７に示すように、ボード組立体２０を収納している収納容器７０が上下に重ねられると、ボード組立体２０を支持している収納容器７０の上に重ねられている収納容器７０の前記押圧部７８ａによって、ボード組立体２０の上側保護部材３１が下向きに押される。下向きに押された上側保護部材３１は、接点ボード２１に少しだけ接近し、上側弾性接点２３から上方へ十分に離れた位置で接点ボード２１に対向する。
【００６７】
図３に示すように、Ｘ方向に隣り合う第２の位置決め部７３と７３との間、およびＹ方向に隣り合う第２の位置決め部７３と７３との間の合計で４箇所に、重ね凹部８１が形成されている。図４と図６に示すように、重ね凹部８１の底面８１ａは、収納容器７０の全体の底面を構成している。重ね凹部８１の内部の中腹部には、凹部の内側に向けて当接段差８１ｂが形成されている。図８に示すように、複数の収納容器７０が重ねられると、それぞれの重ね凹部８１が、その下の収納容器７０の重ね凹部８１の内部に入り込む。そして、重ね凹部８１の底面８１ａが、その下に位置する収納容器７０に形成された重ね凹部８１の当接段差８１ｂに当接し、これにより、重ねられている収納容器７０の上下の間隔が決められる。
【００６８】
次に、前記収納容器７０を使用した接続装置１の組み立て方法を説明する。
図９に示すように、接続装置１は、ソケット本体２と可動枠３を有する装置本体１０の底部に接点ボード２１が組みつけられた状態で、マザーボード６０に固定されて使用される。ＩＣパッケージ５０が装置本体１０に設置されて、加熱するなどしてＩＣパッケージ５０の検査が行われるが、一定期間検査を継続した後に、接続装置１をマザーボード６０から外して、ボード組立体２０の交換作業が行われる。
【００６９】
使用前の新品のボード組立体２０は、収納容器７０の収納領域７１に設置されて保管される。図７に示すように、ボード組立体２０の接点ボード２１の基板２２の角部が、収納領域７１の３箇所の第１の位置決め部７６に設置されて位置決めされている。接点ボード２１は、上側弾性接点２３と下側弾性接点２４が設けられていない角部が第１の位置決め部７６に支持される。また、下側保護部材４１は、第１の位置決め部７６から外れた位置にあり、中央凹部７８に形成された支持台部７９によって下側から支えられている。接点ボード２１と下側保護部材４１は板ばねによって互いに反発しているが、支持台部７９で支えられている下側保護部材４１は、接点ボード２１の下側弾性接点２４から下側へ十分に離れた位置で保持されている。
【００７０】
図７に示すように、ボード組立体２０を収納した複数の収納容器７０が上下に重ねられると、それぞれの収納領域７１に形成されている重ね凹部８１が、その下側に重ねられている収納領域７１の重ね凹部８１の内部に入り込み、重ね凹部８１の底面８１ａが、下に位置する重ね凹部８１の当接段差８１ｂに当たって、収納領域７０の上下の間隔が決められる。
【００７１】
収納容器７０が上下に重ねられていると、収納領域７１の第１の位置決め部７６で位置決めされている接点ボード２１の上側に位置する上側保護部材３１が、その上の収納領域７１の押圧部７８ａで軽く押圧される。よって、収納領域７１に位置決めされているボード組立体２０が動くことなく、複数のボード組立体２０が収納容器７０にしっかりと保持されて保管され運搬される。
【００７２】
収納領域７１に位置決めされているボード組立体２０は、上側保護部材３１が、接点ボード２１の上側弾性接点２３から上方に離れて対向しているため、上側弾性接点２３が、工具などに直接当たるのを避けやすくなっている。
【００７３】
収納領域７１内のボード組立体２０を装置本体１０の底部に取り付けるときは、図８に示すように、ボード組立体２０が収納されている収納領域７１に、装置本体１０を位置決めする。装置本体１０は、第１の位置決め部７６よりも上方で且つ外側に位置する第２の位置決め部７６で位置決めされる。このとき、ソケット本体２の底部の３箇所から突出している凸部６が、接点ボード２１に形成された装着穴２２ａに挿通され、軽く圧入されて、ボード組立体２０が装置本体１０の底部に取り付けられる。なお、装置本体１０が第２の位置決め部７３で位置決めされたときに、凸部６は、収納領域７１の中央凹部７８の内部に位置するために、凸部６は収納容器７０のいずれの箇所にも当たらない。
【００７４】
装置本体１０が収納容器７０の収納領域７１から持ち上げられると、凸部６に軽く圧入されたボード組立体２０が、装置本体１０と一緒に持ち上げられる。このとき、下側保護部材４１が、接点ボード２１の下側弾性接点２４から下側へ離れた部分を覆っているので、他の部品や工具が下側弾性接点２４に当たるのを防止しやすい。
【００７５】
図９に示すように、底部にボード組立体２０が仮止めされている装置本体１０が、マザーボード６０に設置され、凸部６が嵌合穴６２に嵌着されると、接点ボード２１の基板２２が、マザーボード６０の上面で押し上げられ、基板２２の上面がソケット本体２に形成されている規制突起５の底面の規制面５ａおよび当接部７の下端面７ｂに当たって規制される。また、接点ボード２１とマザーボード６０とに挟まれた下側保護部材４１が板ばねの下向きの付勢力に対抗して接点ボード２１に押し付けられる。このとき、下側保護部材４１に形成された複数の貫通穴を介して、接点ボード２１の下側弾性接点２４と、マザーボード６０の外部接続端子６１とが導通させられる。
【００７６】
この状態で、ソケット本体２が、マザーボード６０にねじ止めなどの手段で固定される。
【００７７】
装置本体１０およびボード組立体２０がマザーボード６０の取り付けられると、ＩＣパッケージ５０が装着されるまで、図９に示すように、上側保護部材３１が接点ボード２１よりも上側に離れた位置に対向し、上側弾性接点２３が保護されている。
【００７８】
装置本体１０にＩＣパッケージ５０を装着するときは、図１と図２に示すように、外部からの力で可動枠３を下向きに押す。可動枠３が下向きに押されると、押圧部材１５，１５が、ソケット本体２の貫通部４ｂの上に対向しないように側方へ移動して退避姿勢となる。
【００７９】
図９に示すように、上方からソケット本体２の内部にＩＣパッケージ５０が装着されると、パッケージ本体５１の側部５２が案内テーパ面７ｃで案内され、ＩＣパッケージ５０の角部５３で交叉する側部５２が、ソケット本体２の４箇所に設けられた当接部７の内面である当接面７ａによって位置決めされる。
【００８０】
ＩＣパッケージ５０が当接面７ａで４箇所で位置決めされた後に、ソケット本体２を押し下げている強制力を解除すると、バネ部材の力で、可動枠３が上昇する。このときの押圧アーム１１，１１の回動力によって、押圧部材１５，１５が動き、その下端部によって、ＩＣパッケージ５０が下向きに押される。このときの押圧力は、可動枠３を上昇させる前記バネ部材の付勢力によって発揮される。
【００８１】
図１０に示すように、ＩＣパッケージ５０の底部に設けられている球状の電極５５が、位置決め領域３８の位置決め凹部４６または導通穴４７の縁部に押し付けられて、それぞれの球状の電極５５が位置決めされる。さらに押圧部材１５，１５の押圧力でＩＣパッケージ５０と共に上側保護部材３１が押し下げられ、位置決め領域３８に位置決めされている電極５５が導通穴４７を介して上側弾性接点２３に接触する。位置決め領域３８以外では、貫通穴３７を介して電極５５と上側弾性接点２３とが接続される。
【００８２】
そして、ＩＣパッケージ５０の内部に電力が供給され、また信号が供給されて検査が行われる。
【００８３】
図１１は、本発明の第２の実施の形態を示している。
図１１に示す収納容器１７０は、複数の凹形状の収納領域１７１を有しており、収納領域１７１に、第１の位置決め部１７６と、その外側に位置する第２の位置決め部１７３が設けられている。ボード組立体２０の接点ボード２１は、その角部が第１の位置決め部１７６に嵌合して位置決めされる。
【００８４】
装置本体１１０はソケット構造となっており、中央部にＩＣパッケージ５０を収納する収納部１０７が形成されている。装置本体１０の両側部にはフック（挟持部材）１０３が設けられており、一対のフック１０３は、その下端が互いに接近する向きに付勢されている。収納領域７１には、フック１０３が入り込む逃げ凹部１８１が形成されている。
【００８５】
ボード組立体２０を収納している収納領域７１に装置本体１１０が挿入され、第２の位置決め部１７３で位置決めされたときに、フック１０３をその下端どうし離れるよう回動させると、このフック１０３で、接点ボード２１の側部を保持することができる。装置本体１１０を持ち上げると、装置本体１１０に対して位置決めされたボード組立体２０が一緒に持ち上げられる。そして、ボード組立体２０と装置本体１１０がマザーボード６０に取り付けられる。
【符号の説明】
【００８６】
１  接続装置
２  ソケット本体
３  可動枠
４  ボード収納凹部
５  規制突起
６  凸部
１０  装置本体
１１  押圧アーム
１５  押圧部材
２０  ボード組立体
２１  接点ボード
２２  基板
２３  上側弾性接点
２４  下側弾性接点
２５  支持シート
２９ａ  板ばね
３１  上側保護部材
３３  摺動ピン
３６  開口部
３７  貫通穴
３８  位置決め領域
４１  下側保護部材
４５  樹脂層
４６  位置決め凹部
４７  導通穴
５０  ＩＣパッケージ
５１  パッケージ本体
５２  側部
５３  角部
５５  電極
６０  マザーボード
６１  外部接続端子
７０  収納容器
７１  収納領域
７３  第２の位置決め部
７６  第１の位置決め部
７８  中央凹部
７８ａ  押圧部
７９  支持台部
８１  重ね凹部
【図１】
2011014377.tif 000003
【図２】
2011014377.tif 000004
【図３】
2011014377.tif 000005
【図４】
2011014377.tif 000006
【図５】
2011014377.tif 000007
【図６】
2011014377.tif 000008
【図７】
2011014377.tif 000009
【図８】
2011014377.tif 000010
【図９】
2011014377.tif 000011
【図１０】
2011014377.tif 000012
【図１１】
2011014377.tif 000013